(57)【特許請求の範囲】
【請求項１】
室外熱交換器、送風機およびこれらを収納する筐体を備え、
前記筐体の前面側に、前記送風機に対応した円形の吹出口を有する吹出パネルと、この吹出パネルを覆い複数の桟を有する吹出ガードとが設けられ、
前記吹出ガードの面積を、前記吹出パネルの吹出口の吹出面積より大きくすると共に、
前記吹出パネルの吹出口周囲における前記吹出ガード内面と前記吹出パネル表面との間の間隔が、前記吹出パネルの吹出口の中心から半径方向外側へ離れるに従って、次第に大きくなるように、前記吹出パネルの表面を前方に向かって凸の曲面形状としたことを特徴とする空気調和機の室外機。
【請求項２】
前記吹出パネルの吹出口周囲における前記吹出ガード内面と前記吹出パネル表面との間の間隔が、前記吹出パネルの吹出口の中心から左右方向へ離れるに従って、次第に大きくなるように、前記吹出パネルの表面を前方に向かって凸の曲面形状としたことを特徴とする請求項１記載の空気調和機の室外機。
【発明の詳細な説明】
【０００１】
【発明の属する技術分野】
本発明は、送風機によって、室外空気を吸い込んで室外熱交換器に通し、吹出口から吹き出すように構成された空気調和機の室外機に係り、とりわけ、吹出口部分及びこれを覆う吹出ガードの改良に関する。
【０００２】
【従来の技術】
一般に、空気調和機の室外機は、図８に示すように、圧縮機１、室外熱交換器２、送風機３およびこれらを収納する筐体５を備えている。また、筐体５の後面５０には空気吸込口５０ｉが形成され、筐体５の前面側には、送風機３に対応した円形の吹出口２７を有する吹出パネル２６が設けられている。
【０００３】
また、筐体５の前面側には、複数の桟８８, ８９を有する吹出ガード２８が、吹出パネル２６を覆って設けられている。この場合、吹出ガード２８内面と吹出パネル２６表面との間には、一定の間隔ｄ3 が保たれている。なお、このような吹出ガード２８としては一般的に、格子状の桟を有する四角形のものの他、リング状の桟を有する円形のものも用いられる。
【０００４】
そして、このような室外機は、送風機３の回転によって、上記吸込口５０ｉから室外空気を吸い込んで室外熱交換器２に通し、吹出口２７から吹出ガード２８を通して吹出すように構成されている。
【０００５】
ここで、吹出口２７は例えば、吹出方向中央の絞り部７４から入口側７０及び出口側７８に向かって、それぞれ半径方向外側へ広がるようなオリフィス形状（いわゆるベルマウス形）をなしている。吹出口２７をこのような形状にするのは、送風機３よる空気の流れを効率よく引き込んで滑らかに吹き出すためであり、このことにより、吹出空気は、吹出口２７の半径方向外側へやや広がるような吹き出しとなる。
【０００６】
【発明が解決しようとする課題】
上述したような従来の空気調和機の室外機には、以下のような問題点がある。すなわち、吹出口２７からの吹出空気が、吹出口２７の出口側７８で剥離したり、吹出ガード２８の桟８８, ８９を通過する際に乱されたりして、乱流騒音が発生する。
【０００７】
この場合、吹出口２７の出口７８側における吹出空気の剥離をおさえることにより乱流騒音を低減しようとした室外機も提案されているが（特開平６−３３１１７７号公報）、吹出ガード２８の桟８８, ８９を通過する際の乱流騒音の低減については、ほとんど考慮されていないのが現状である。
【０００８】
本発明は、このような点を考慮してなされたものであり、吹出口からの吹出空気が吹出ガードを通過する際の乱流騒音を低減できるような空気調和機の室外機を提供することを主目的とする。
【０００９】
【課題を解決するための手段】
第１の手段は、室外熱交換器、送風機およびこれらを収納する筐体を備え、前記筐体の前面側に、前記送風機に対応した円形の吹出口を有する吹出パネルと、この吹出パネルを覆い複数の桟を有する吹出ガードとが設けられ、前記吹出ガードの面積を、前記吹出パネルの吹出口の吹出面積より大きくすると共に、前記吹出パネルの吹出口周囲における前記吹出ガード内面と前記吹出パネル表面との間の間隔が、前記吹出パネルの吹出口の中心から半径方向外側へ離れるに従って、次第に大きくなるように、前記吹出パネルの表面を前方に向かって凸の曲面形状としたことを特徴とする空気調和機の室外機である。
【００１０】
この第１の手段によれば、吹出口からの吹出空気の流れは、吹出パネルの吹出口周囲における吹出ガード内面と吹出パネル表面との間の間隔のより大きい半径方向外側に向かって広がりながら、吹出口の吹出面積より大きい面積の吹出ガードを通過して行くため、吹出ガード通過時の吹出空気の流速を従来より低下させることができる。
このため、吹出口からの吹出空気が吹出ガードを通過する際の乱流騒音を低減させ、室外機の運転の静粛性を向上させることができる。また、吹出空気の流れが吹出ガードを通過する際の抵抗を低減して、吹出空気の風量を大きくすることができる。
【００１１】
第２の手段は、第１の手段において、前記吹出パネルの吹出口周囲における前記吹出ガード内面と前記吹出パネル表面との間の間隔が、前記吹出パネルの吹出口の中心から左右方向へ離れるに従って、次第に大きくなるように、前記吹出パネルの表面を前方に向かって凸の曲面形状としたものである。
【００１２】
この第２の手段によれば、第１の手段において、吹出口からの吹出空気の流れは、前記吹出パネルの吹出口周囲における吹出ガード内面と吹出パネル表面との間の間隔のより大きい左右方向に向かって広がりながら、吹出口の吹出面積より大きい面積の吹出ガードを通過して行くため、吹出ガード通過時の吹出空気の流速を従来より低下させることができる。
【００１３】
また、吹出口からの吹出空気の流れを左右方向に広げることにより、特に上下方向の障害物等による吹出抵抗の影響を低減することができる。
【００２９】
【発明の実施の形態】
次に、図面を参照して本発明の実施の形態について説明する。図１乃至図７は本発明による空気調和機の室外機の実施の形態を示す図である。なお、図１乃至図７に示す本発明の実施の形態において、図８に示す従来例と同一の構成部分には同一符号を付して説明する。
【００３０】
［第１の実施形態］
まず、図１及び図２により本発明の第１の実施形態について説明する。図１において、空気調和機の室外機は、圧縮機１、室外熱交換器２、送風機３およびこれらを収納する筐体５を備えている。また、筐体５の後面５０には空気吸込口５０ｉが形成され、筐体５の前面側には、送風機３に対応した円形の吹出口７を有する吹出パネル６が設けられている（図２参照）。
【００３１】
また、図１及び図２に示すように、筐体５の前面側には、複数の格子状の桟８０, ８２を有する吹出ガード８が、吹出パネル６を覆って設けられている。この場合、吹出ガード８の面積は、吹出口７の吹出面積より大きくなっている。そして、この室外機は、図１に示すように、送風機３の回転によって、上記吸込口５０ｉから室外空気を吸い込み、この空気を室外熱交換器２に通し、吹出口７から吹出ガード８を通して吹き出すように構成されている。
【００３２】
ここで、図１に示すように、吹出ガード８の内面が平面形状であるのに対して、吹出パネル６の表面は、上下方向には真っ直ぐ延びているが（図１（ｂ））、左右方向には前方（吹出方向）に向かって凸の曲面形状をなしている（図１（ａ））。このことにより、吹出ガード８の内面と吹出パネル６の表面との間の間隔ｄ1 は、上下方向には略一定に保たれているが（図１（ｂ））、左右方向では、吹出口７の中心から左右方向へ離れるに従って次第に大きくなっている（図１（ａ））。
【００３３】
次に、上記吹出口７は、その入口側７０では従来と同様、吹出方向中央の絞り部７４から入口側７０に向かって、全周に渡って半径方向外側へ広がるようなオリフィス形状（いわゆるベルマウス形）をなしている。
【００３４】
一方、吹出口７の出口側７２は、図１及び図２に示すように、吹出ガード８内面と吹出パネル６表面との間の間隔ｄ1 が次第に大きくなる左右方向においては、吹出方向へ向かって半径方向外側へ広がる形状（いわゆるベルマウス形）をなしている。しかし、左右方向から上下方向に近づくにつれて、この出口側７２の広がりが小さくなって行き、上下方向においては、出口側７２は円筒形に近い形状をなしている。
【００３５】
次に、上記吹出ガード８の複数の桟８０, ８２は、吹出ガード８全体の通風抵抗が上下方向に比べて左右方向により少なくなるように構成されている。具体的には、図２に最も良く示されるように、吹出ガード８の桟８０, ８２は、複数の横方向桟８０と、この横方向桟８０よりも少数の補助的な縦方向桟８２とからなっている。
【００３６】
次に、このような構成よりなる本実施形態の作用効果について説明する。本実施形態によれば、吹出口７からの吹出空気の流れは、吹出ガード８内面と吹出パネル６表面との間の間隔ｄ1 のより大きい左右方向に向かって広がりながら、吹出口７の吹出面積より大きい面積の吹出ガード８を通過して行くため、吹出ガード８通過時の吹出空気の流速を従来より低下させることができる。
【００３７】
このため、吹出口７からの吹出空気が吹出ガード８を通過する際の乱流騒音を低減させ、室外機の運転の静粛性を向上させることができる。また、吹出空気の流れが吹出ガード８を通過する際の抵抗を低減して、吹出空気の風量を大きくすることができる。
【００３８】
更に、吹出口７からの吹出空気の流れを左右方向に広げることにより、特に上下方向の障害物（例えば、天井吊り設置における天井部分）等による吹出抵抗の影響を低減することができる。
【００３９】
また、吹出ガード８の複数の桟８０, ８２を、吹出ガード８全体の通風抵抗が上下方向に比べて左右方向により少なくなるように構成しているので、吹出空気の流れを左右方向に広げる作用と、吹出ガード８における通風抵抗の減少作用とを、より促進させることができる。
【００４０】
更に、吹出口７の出口側７２が、吹出空気の流れが広がる左右方向に対応して広がるような形状となっているので、吹出口７から吹出ガード８への滑らかな吹き出しを確保して、吹出空気の流れを左右方向に広げる作用と、吹出ガード８における通風抵抗の減少作用とを、より一層促進させることができる。
【００４１】
なお、図２において、横方向桟８０が略等間隔に配置された吹出ガード８を示したが、吹出ガード全体の通風バランスの観点からは、図３に示す吹出ガード８′のように、横方向桟８０同士の間隔ａ〜ｄが、吹出口７の中心から上下方向へ離れるに従って、次第に大きくなるようにすることが好ましい。（図３では、ａ＝ｂ＜ｃ＝ｄとなるように示されているが、ａ＜ｂ＜ｃ＜ｄとなるようにしてもよい。）
すなわち、図３に示す吹出ガード８′は、吹出口７の出口側７２端部から吹出ガード８′の左右端部までの距離Ｓが、吹出口７の中心から上下方向へ離れるに従って次第に大きくなることに対応させて、横方向桟８０同士の間隔ａ〜ｄを変化させるたものである。このようにすることで、吹出空気の流れが上下方向で不均一になることに起因する流れの乱れを減少させ、乱流騒音や通風抵抗の減少効果をより一層促進させることができる。
【００４２】
［第２の実施形態］
次に、図４及び図５により本発明の第２の実施形態について説明する。本実施形態は、図４及び図５に示すように、吹出パネル１６（吹出口１７を含む）及び吹出ガード１８の形状を、上記第１の実施形態の吹出パネル６（吹出口７を含む）及び吹出ガード８に対して、左右方向と上下方向とで入れ換えたものであり、その他の構成は図１及び図２に示す上記第１の実施形態と略同様である。
【００４３】
具体的には、図４に示すように、まず吹出パネル１６の表面は、左右方向には真っ直ぐ延びているが（図４（ａ））、上下方向には前方（吹出方向）に向かって凸の曲面形状をなしている（図４（ｂ））。このことにより、吹出ガード１８の内面と吹出パネル１６の表面との間の間隔ｄ2 は、左右方向には略一定に保たれているが（図４（ａ））、上下方向では、吹出口１７の中心から上下方向へ離れるに従って次第に大きくなっている（図４（ｂ））。
【００４４】
次に、吹出口１７の出口側７６は、図４及び図５に示すように、吹出ガード１８内面と吹出パネル１６表面との間の間隔ｄ2 が次第に大きくなる上下方向においては、吹出方向へ向かって半径方向外側へ広がる形状（いわゆるベルマウス形）をなしている。しかし、上下方向から左右方向に近づくにつれて、この出口側７６の広がりが小さくなって行き、左右方向においては、出口側７６は円筒形に近い形状をなしている。
【００４５】
次に、吹出ガード１８の複数の桟８４, ８６は、吹出ガード１８全体の通風抵抗が左右方向に比べて上下方向により少なくなるように構成されている。具体的には、図５に最も良く示されるように、吹出ガード１８の桟８４, ８６は、複数の縦方向桟８４と、この縦方向桟８４よりも少数の補助的な横方向桟８６とからなっている。
【００４６】
次に、このような構成よりなる本実施形態の作用効果について説明する。本実施形態によれば、吹出口１７からの吹出空気の流れは、吹出ガード１８内面と吹出パネル１６表面との間の間隔ｄ2 のより大きい上下方向に向かって広がりながら、吹出口１７の吹出面積より大きい面積の吹出ガード１８を通過して行くため、吹出ガード１８通過時の吹出空気の流速を従来より低下させることができる。
【００４７】
このため、吹出口１７からの吹出空気が吹出ガード１８を通過する際の乱流騒音を低減させ、室外機の運転の静粛性を向上させることができる。また、吹出空気の流れが吹出ガード１８を通過する際の抵抗を低減して、吹出空気の風量を大きくすることができる。
【００４８】
更に、吹出口１７からの吹出空気の流れを上下方向に広げることにより、特に左右方向の障害物等による吹出抵抗の影響を低減することができる。
【００４９】
また、吹出ガード１８の複数の桟８４, ８６を、吹出ガード１８全体の通風抵抗が左右方向に比べて上下方向により少なくなるように構成しているので、吹出空気の流れを上下方向に広げる作用と、吹出ガード１８における通風抵抗の減少作用とを、より促進させることができる。
【００５０】
更に、吹出口１７の出口側７６が、吹出空気の流れが広がる上下方向に対応して広がるような形状となっているので、吹出口１７から吹出ガード１８への滑らかな吹き出しを確保して、吹出空気の流れを上下方向に広げる作用と、吹出ガード１８における通風抵抗の減少作用とを、より一層促進させることができる。
【００５１】
なお、図５において、縦方向桟８４が略等間隔に配置された吹出ガード１８を示したが、上記第１の実施形態において図３で示した変型例と同様の観点からは、図６に示す吹出ガード１８′のように、縦方向桟８４同士の間隔ｅ〜ｈが、吹出口１７の中心から左右方向へ離れるに従って、次第に大きくなるようにすることが好ましい。（図３の場合と同様に、図６では、ｅ＝ｆ＜ｇ＝ｈとなるように示されているが、ｅ＜ｆ＜ｇ＜ｈとなるようにしてもよい。）
【００５２】
［第３の実施形態］
次に、図７により本発明の第３の実施形態について説明する。本実施形態は、図７に示すように、左右延長部２２を有する室外熱交換器２′を用いると共に、筐体５の両側面５４に空気吸込口５４ｉを設けた点で上記第２の実施形態と異なり、その他の構成は図４及び図５、又は図６に示す上記第２の実施形態と同様である。
【００５３】
具体的には、図７において、室外熱交換器２′は、筐体後面５０に対応する本体部２０と、この本体部２０の左右両端から前方へ屈折して延びる左右延長部２２, ２２とを有している。そして、筐体５の側面５４には、室外熱交換器２′の左右延長部２２, ２２に対応して空気吸込口５４ｉが設けられている。なお、このような変更に対応して、圧縮機１の設置箇所も変更されている。
【００５４】
すなわち、本実施形態は、換言すれば、筐体５の両側面５４に空気吸込口５４ｉを有する左右吸込型の室外機について、上記第２の実施形態の吸込パネル１６（吹出口１７を含む）及び吹出ガード１８を適用したものである。
【００５５】
次に、このような構成よりなる本実施形態の作用効果について説明する。本実施形態によれば、上記第２の実施形態の吸込パネル１６及び吹出ガード１８によって吹出空気の流れを、左右方向には広げず上下方向に広げることにより、一旦室外熱交換器２′を通った吹出空気が、筐体側面５４の空気吸込口５４ｉから再び吸い込まれて室外熱交換器２′（特に左右延長部２２, ２２）を通ることを繰り返すショートサーキット（図７の仮想矢印Ｆ参照）を抑制し、室外熱交換器２′の熱交換性能低下を防止することができる。
【００５６】
なお、以上の実施の形態において、吹出口からの吹出空気の流れを、左右方向か上下方向のいずれかの方向に広げるように構成した場合について説明したが、吹出ガード内面と吹出パネル表面との間の間隔が、吹出パネルの吹出口の中心から半径方向外側へ離れるに従って、全ての方向で次第に大きくなるようにすることで、上下左右の全ての方向に吹出空気の流れが広がるようにしてもよい。
【００５７】
この場合は、吹出口の出口側を、全周において外側へ広がるような形状とすればよく、また吹出ガードの桟も、特に方向による通風抵抗の大小の違いを設ける必要はない。
【００５８】
【発明の効果】
請求項１記載の発明によれば、吹出口からの吹出空気の流れは、吹出パネルの吹出口周囲における吹出ガード内面と吹出パネル表面との間の間隔のより大きい半径方向外側に向かって広がりながら、吹出口の吹出面積より大きい面積の吹出ガードを通過して行くため、吹出ガード通過時の吹出空気の流速を従来より低下させることができる。
【００５９】
このため、吹出口からの吹出空気が吹出ガードを通過する際の乱流騒音を低減させ、室外機の運転の静粛性を向上させることができる。また、吹出空気の流れが吹出ガードを通過する際の抵抗を低減して、吹出空気の風量を大きくすることができる。
【００６０】
請求項２記載の発明によれば、吹出口からの吹出空気の流れは、吹出パネルの吹出口周囲における吹出ガード内面と吹出パネル表面との間の間隔のより大きい左右方向に向かって広がりながら、吹出口の吹出面積より大きい面積の吹出ガードを通過して行くため、吹出ガード通過時の吹出空気の流速を従来より低下させることができる。
【００６１】
このため、吹出口からの吹出空気が吹出ガードを通過する際の乱流騒音を低減させ、室外機の運転の静粛性を向上させることができる。また、吹出空気の流れが吹出ガードを通過する際の抵抗を低減して、吹出空気の風量を大きくすることができる。また、吹出口からの吹出空気の流れを左右方向に広げることにより、特に上下方向の障害物等による吹出抵抗の影響を低減することができる。
【図面の簡単な説明】
【図１】本発明による空気調和機の室外機の第１の実施形態を示す図であって、（ａ）は、中央水平断面図、（ｂ）は、中央縦断面図。
【図２】図１に示す室外機の正面図。
【図３】図１に示す室外機の変型例を、図２に対応して示す図。
【図４】本発明による空気調和機の室外機の第２の実施形態を示す図であって、（ａ）は、中央水平断面図、（ｂ）は、中央縦断面図。
【図５】図４に示す室外機の正面図。
【図６】図４に示す室外機の変型例を、図５に対応して示す図。
【図７】本発明による空気調和機の室外機の第３の実施形態を示す中央水平断面図。
【図８】従来の空気調和機の室外機の例を示す図であって、（ａ）は、中央水平断面図、（ｂ）は、中央縦断面図。
【符号の説明】
１  圧縮機
２  室外熱交換器
３  送風機
５  筐体
５０  筐体の後面
５０ｉ  筐体後面の空気吸込口
５４  筐体の側面
５４ｉ  筐体側面の空気吸込口
６, １６, ２６  吹出パネル
７, １７, ２７  吹出口
７０  吹出口の入口側
７２, ７６, ７８  吹出口の出口側
７４  吹出口の絞り部
８, ８′, １８, １８′, ２８  吹出ガード
８０, ８６, ８９  吹出ガードの横方向桟
８２, ８４, ８８  吹出ガードの縦方向桟
ｄ1,ｄ2,ｄ3   吹出ガード内面と吹出パネル表面との間の間隔
ａ〜ｄ  吹出ガードの横方向桟同士の間隔
ｅ〜ｈ  吹出ガードの縦方向桟同士の間隔
【図１】
0004034418.tif 000002
【図２】
0004034418.tif 000003
【図３】
0004034418.tif 000004
【図４】
0004034418.tif 000005
【図５】
0004034418.tif 000006
【図６】
0004034418.tif 000007
【図７】
0004034418.tif 000008
【図８】
0004034418.tif 000009